(57)【要約】      （修正有）【課題】全体を弾性可能な素材により構成し、人の歩行や体重移動による圧力を動力とし、靴内に装着して除湿換気ポンプに適したチューブポンプを提供する。【解決手段】本発明のチューブポンプは、圧力により押し潰されるポンプ本体チューブ１と、前記チューブの吸入側に装着された第１逆止弁２と、排出側に装着された第２逆止弁３とを備え、全体をフッ素系ゴム等の弾力性を有する素材で構成した。前記チューブへの圧力により加圧されると、第１逆止弁はそのまま閉じた状態にある、第２逆止弁は順方向に加圧されて弁スリットが開いて排出側に流体が排出される。前記チューブ１への圧力が無くなり無圧になると、第２逆止弁は弾力性復元力により閉じる、前記チューブの弾力性復元力により第１逆止弁に吸引力が作用して吸入側から流体が吸入される。このポンピング動作により、流体を吸入側第１逆止弁から排出側第２逆止弁の方向へ輸送する。【選択図】図１
2011058385.tif 000002
【特許請求の範囲】
【請求項１】
弾性変形可能なチューブと、前記チューブの吸入側に半球形や円錐形の頂点を第２逆止弁方向にして装着した弾性変形可能な第１逆止弁と、前記チューブの排出側に半球形や円錐形の頂点を前記チューブの排出側方向にして装着した弾性変形可能な第２逆止弁とよりなるチューブポンプ。
【請求項２】
逆止弁はチューブポンプのチューブ内径と同サイズ外径チューブの一端を中空の半球形や円錐形に成型してなり、その先端部分を＋字や＊字に切開しスリットとして形成され、流路中において流体が順方向に流れることを許し、逆方向への流れを阻止する機能を有する弾性変形可能な逆止弁を具備したチューブポンプ。
【発明の詳細な説明】
【技術分野】
【０００１】
本発明は、柔らかい素材で造った、ポンプ本体部チューブと逆止弁とからなるチューブポンプに関する。
【背景技術】
【０００２】
従来のチューブポンプ（特許文献１）は、図８に示すように、金属製のシャーシ２と、この表面に搭載されている駆動モータ３と、シャーシ２における駆動モータ３以外の部分に積層されているプラスチック製のケース４とを備えている。ケース４の裏面には、図面に可撓製のチューブ６が配置されている。チューブ６は耐薬品性に優れたフッ素系ゴムから形成することができる。このチューブ６は、内周側面５の中心点回りに公転運動するローラ７によって内周側面５の側に押し潰され、その押し潰し位置が円周方向に移動することにより、チューブ６内の液体がローラ７の公転方向に押し出されるようになっている。
しかし、前述の従来のチューブポンプは、金属製シャーシ２、プラスチック製ケース４、駆動モータ３など、硬い素材でできているので、靴内に入れて除湿換気ポンプなどへの利用に適さない。
【０００３】
従来のものは、図８に示すように、チューブ６、逆止弁１１、ローラ７、回転円盤１２、複合歯車１６，１８、ウォーム歯車２０、駆動モータ３、を組み合わせた複雑な構造であり部品点数が多く、コスト高になる。
【０００４】
従来のものは、チューブ６押圧にローラ７を回転させる駆動モータ３を使用し、この動力は電力により駆動されるので、ポンプ全体が大型になり、靴内に入れて除湿換気ポンプなどへ使用するには無理である。
【先行技術文献】
【特許文献】
【０００５】
【特許文献１】特開２００６−２６５９号公報
【発明の概要】
【発明が解決しようとする課題】
【０００６】
本発明は、前述した従来技術の問題点に着目してなされたものであって、その目的とするところは、弾性変形可能な素材を用い、人の歩行や体重移動による圧力を動力とする靴の除湿換気ポンプなどに適したチューブポンプを提供することにある。
【課題を解決するための手段】
【０００７】
本発明のチューブポンプは、ポンプ本体部チューブ、吸入側第１逆止弁、排出側第２逆止弁から成り、前記ポンプ本体部チューブには、人の歩行や体重移動などによる圧力によって押し潰される部分の吸入側に装着された第１逆止弁と、排出側に装着された第２逆止弁とを備え、全体をフッ素系ゴム等の弾力性を有する素材で構成している。
吸入側第１逆止弁、排出側第２逆止弁は共にチューブの弾力性復元力により通常は閉じた状態にある。
前記ポンプ本体部チューブへの人の歩行や体重移動などによる圧力によって加圧されると、吸入側第１逆止弁はそのまま閉じた状態にある、排出側第２逆止弁は順方向に加圧されて弁が開いて排出側に流体が排出される。
前記ポンプ本体部チューブへの人の歩行や体重移動などによる圧力が無くなり無圧になると、排出側第２逆止弁は弾力性復元力により閉じる、前記ポンプ本体部チューブの弾力性復元力により吸入側第１逆止弁に吸引力が作用して弁が開いて吸入側から流体が吸入されるように構成している。
【発明の効果】
【０００８】
請求項１に記載したチューブポンプを、弾力性を有する素材からなるチューブと弾力性を有する素材からなる逆止弁を具備したチューブポンプにすることにより、例えば、長靴内に装着して使用し、足に触れても痛くなったり、違和感などを軽減できる。
【０００９】
本発明のチューブポンプは、ポンプ本体部チューブと逆止弁が一体構造で構成してあるので低コストである。
【００１０】
本発明のチューブポンプは、チューブ押圧の動力に、人の歩行や体重移動などによる圧力を利用することができる。
【００１１】
本発明のチューブポンプは、様々なサイズにも適用できる。
【図面の簡単な説明】
【００１２】
【図１】本発明のチューブポンプを示す断面図である。
【図２】図１の逆止弁の構造を示す断面図である。
【図３】図２の他の実施例である。
【図４】図１の逆止弁スリットの平面図である。
【図５】図４の他の実施例である。
【図６】本発明の実施例を示す長靴の除湿換気用ポンプの断面図である。
【図７】本発明の実施例を示す靴の中敷の平面図である。
【図８】従来のチューブポンプの一例である。
【発明を実施するための形態】
【００１３】
本発明を適用したチューブポンプの一実施の形態について、図１から図５を用いて説明する。
図１は、本発明のチューブポンプを示す断面図である。
図２は、図１の逆止弁の構造を示す断面図である。
図３は、図２の他の実施例である。
図４は、図１の逆止弁スリットの平面図である。
図５は、図４の他の実施例である。
【００１４】
本発明のチューブポンプ図１の主要構成は、流体の輸送経路となるポンプ本体部チューブ１と、前記チューブ１への人の歩行や体重移動による圧力によって押し潰される部分の吸入側に装着された第１逆止弁２と、排出側に装着された第２逆止弁３とにより構成している。
【００１５】
本発明のチューブポンプ図１は、全体をフッ素系ゴム等の弾力性を有する素材で構成する。
【００１６】
図２の、第１逆止弁２と第２逆止弁３の形状は、ポンプ本体部チューブ１内径と同サイズ外径チューブの一端を中空の半球形３ａに成型して成る。
図３は、図２に示す逆止弁の他の実施例であり、形状を円錐形３ｃに成型して成る。
【００１７】
第１逆止弁２と第２逆止弁３は、図４に示すように半球形や円錐形の先端部分を切開して設けられた弁スリット３ｅは、＋字スリット３ｆとして形成され、流路中において流体が順方向３ｄに流れることを許し、逆方向への流れを阻止する。
図５は、図４に示す逆止弁スリットを＊字スリット３ｇの形状にした他の実施例である。
【００１８】
ポンプ本体部チューブ１の吸入側に装着された第１逆止弁２と排出側に装着された第２逆止弁３は、それぞれに、前記チューブ１と接着して固定している。
【実施例】
【００１９】
図７は、本発明のチューブポンプ１４と排出口チューブ１５とを、中敷１２に埋め込んで一体に構成し、排出口チューブ１５は、一方をチューブポンプ１４の排出側に接続し、他方は足の指の付け根付近に設置している。チューブポンプ１４は渦巻き状に配置されている。
図６は、前述の中敷１２を長靴１０内に装着して除湿換気用チューブポンプ１４（エアーポンプ）として使用した例を示している。
空気を取入れる吸入口チューブ１１の一方は、止め金１３により長靴１０の開口部に固定する、他方はチューブポンプ１４の吸入側に接続する。
そして、前述のチューブポンプ１４の動力に人の歩行や体重移動による圧力を利用し、このポンピング動作により、外気を吸入口チューブ１１から取入れて、排出口チューブ１５の足指の付け根付近に空気が排出されることにより、長靴内部の除湿換気を図っている。
【符号の説明】
【００２０】
１  ポンプ本体部チューブ
２  吸入側第１逆止弁
３  排出側第２逆止弁
３ａ  半球形逆止弁
３ｃ  円錐形逆止弁
３ｄ  順方向を表す（流体の流れ）
３ｅ  弁スリット
３ｆ  十字スリット
３ｇ  ＊字スリット
１０  長靴
１１  吸入口チューブ
１２  中敷（吸入口チューブとチューブポンプと排出口チューブの一体構造物）
１３  止め金
１４  チューブポンプ
１５  排出口チューブ
【図１】
2011058385.tif 000003
【図２】
2011058385.tif 000004
【図３】
2011058385.tif 000005
【図４】
2011058385.tif 000006
【図５】
2011058385.tif 000007
【図６】
2011058385.tif 000008
【図７】
2011058385.tif 000009
【図８】
2011058385.tif 000010